(57)【要約】【課題】走行機体の進行に伴い穿入ビームは土中に穿入して穿入跡溝を形成し、かつ、穿孔体は穿孔機構により穿入ビームの進行方向後方位置に縦孔を間隔を置いて穿孔することになり、しかして、穿入ビームにより形成される穿入跡溝及び縦孔の存在により圃場の通水性、排水性及び通気性を良好に保持することができ、空気、水、養分の吸収を良化することができ、稲等の作物を生育を良化することができる。【解決手段】走行機体１に連結機構２により機枠３を連結し、機枠に穿入ビーム４を縦設し、穿入ビームの進行方向後方位置に圃場土中Ｗに縦孔Ｇを穿孔可能な穿孔体１５を配設し、穿孔体を穿孔動作させる穿孔機構１６を設けてなる。【選択図】図１
2008148579.tif 000002
【特許請求の範囲】
【請求項１】
走行機体に連結機構により機枠を連結し、該機枠に穿入ビームを縦設し、該穿入ビームの進行方向後方位置に圃場土中に縦孔を穿孔可能な穿孔体を配設し、該穿孔体を穿孔動作させる穿孔機構を設けてなることを特徴とする暗渠形成装置。
【請求項２】
上記穿孔機構は上記穿孔体を上下動作させる上下動機構及び該穿孔体を進行方向前方位置から後方位置への後方移動を許容すると共に該穿孔体を該進行方向後方位置から前方位置に前方移動させる復帰移動機構からなることを特徴とする請求項１記載の暗渠形成装置。
【請求項３】
上記穿孔体は上記圃場土中に穿入可能な穿入体及び該穿入体の下部に設けられ、圃場土を刳り貫いて持ち上げる刳貫口部をもつ捕捉部からなることを特徴とする請求項１又は２記載の暗渠形成装置。
【発明の詳細な説明】
【技術分野】
【０００１】
本発明は例えば水田や畑の土中に暗渠を形成する際に用いられる暗渠形成装置に関するものである。
【背景技術】
【０００２】
従来この種の暗渠形成装置として、走行機体に連結機構により機枠を連結し、機枠に穿入ビームを揺振機構により進行方向に揺振動作自在に縦設し、穿入ビームの下部に土中に暗渠を形成可能な弾丸体を配設してなる構造のものが知られている。
【０００３】
しかして、圃場等は表層の耕土層、その下層の硬土層、さらに下層の芯土層からなり、この耕土層、硬土層及び芯土層に穿入ビームを穿入進行させ、硬土層を破ってその下の芯土層に弾丸体により暗渠を開穴形成することになる。
【特許文献１】特開２００３−１８０１０２公報
【発明の開示】
【発明が解決しようとする課題】
【０００４】
しかしながらこれら従来構造の場合、穿入ビームの穿入作業進行直後においては、土中の上下方向に形成される穿入跡溝は穿入ビームの厚さに応じた幅に保持されているが、圃場土質や時間の経過により穿入溝跡の両対向面が近接して狭まって閉塞されることがあり、このため圃場の通水性、排水性及び通気性を低下させることがあり、空気、水、養分の吸収不足により稲等の作物の生育が阻害され、収穫量や品質の低下をもたらすことがあるという不都合を有している
【課題を解決するための手段】
【０００５】
本発明はこれらの不都合を解決することを目的とするもので、本発明のうちで、請求項１記載の発明は、走行機体に連結機構により機枠を連結し、該機枠に穿入ビームを縦設し、該穿入ビームの進行方向後方位置に圃場土中に縦孔を穿孔可能な穿孔体を配設し、該穿孔体を穿孔動作させる穿孔機構を設けてなることを特徴とする暗渠形成装置にある。
【０００６】
又、請求項２記載の発明は、上記穿孔機構は上記穿孔体を上下動作させる上下動機構及び該穿孔体を進行方向前方位置から後方位置への後方移動を許容すると共に該穿孔体を該進行方向後方位置から前方位置に前方移動させる復帰移動機構からなることを特徴とするものであり、又、請求項３記載の発明にあっては、上記穿孔体は上記圃場土中に穿入可能な穿入体及び該穿入体の下部に設けられ、圃場土を刳り貫いて持ち上げる刳貫口部をもつ捕捉部からなることを特徴とするものである。
【発明の効果】
【０００７】
本発明は上述の如く、請求項１記載の発明にあっては、走行機体の進行に伴い穿入ビームは土中に穿入して穿入跡溝を形成し、かつ、穿孔体は穿孔機構により穿入ビームの進行方向後方位置に縦孔を間隔を置いて穿孔することになり、しかして、穿入ビームにより形成される穿入跡溝及び縦孔の存在により圃場の通水性、排水性及び通気性を良好に保持することができ、空気、水、養分の吸収を良化することができ、稲等の作物を生育を良化することができる。
【０００８】
又、請求項２記載の発明にあっては、上記穿孔機構は上記穿孔体を上下動作させる上下動機構及び穿孔体を進行方向前方位置から後方位置への後方移動を許容すると共に穿孔体を進行方向後方位置から前方位置に前方移動させる復帰移動機構からなるので、走行機体を走行した状態で縦孔を穿孔することができて作業性を高めることができ、又、請求項３記載の発明にあっては、上記穿孔体は上記圃場土中に穿入可能な穿入体及び穿入体の下部に設けられ、圃場土を刳り貫いて持ち上げる刳貫口部をもつ捕捉部からなるので、縦孔を良好に形成することができる。
【発明を実施するための最良の形態】
【０００９】
図１乃至図１６は本発明の実施の形態例を示し、図１乃至図１４は第一形態例、図１５、１６は第二形態例である。
【００１０】
図１乃至図１４の第一形態例において、１は走行機体であって、この場合トラクタが用いられ、走行機体１の後部に三点リンク式の連結機構２により機枠３を上下動可能に連結して構成している。
【００１１】
４は穿入ビーム、５は揺振機構であって、この場合、図４乃至図８の如く、機枠３に揺動アーム６の中程部を支点軸７により揺振動作自在に枢着すると共に機枠３に主軸８を軸受８ａ・８ａにより回転自在に横設し、走行機体１の動力取出軸９と主軸８とを自在継手１０により連結し、揺動アーム６と穿入ビーム４との間に偏心輪機構１１を介装し、偏心輪機構１１として、上記主軸８の軸受８ａ・８ａ間に偏心軸部１１ａを形成し、偏心軸部１１ａに接続部材１１ｂの上側の軸受１１ｃを嵌合し、接続部材１１ｂの下側の軸受１１ｄに揺動アーム６の基軸６ａを嵌挿し、揺動アーム６をガイドロール６ｂ・６ｂ及びガイド片３ａ・３ａにより上下揺動案内し、主軸８の回転により偏心輪機構１１を介して揺動アーム６を支点軸７を中心として上下揺振動作させ、揺動アーム６の後端部に穿入ビーム４を上下方向に取付け、図９、図１０の如く、穿入ビーム４の下端部に犂体１２を取付けると共にフック状の連結材１３により砲弾状の弾丸体１４を連結して構成している。
【００１２】
しかして、走行機体１の進行に伴い穿入ビーム４は進行方向に揺振動作しつつ圃場土中Ｗに穿入して穿入跡溝Ｓを形成すると共に犂体１２の穿入後方位置の弾丸体１４により暗渠Ｈを連続して形成することになる。
【００１３】
１５は穿孔体、１６は穿孔機構であって、この場合、図１３の如く、穿孔体１５は上記圃場土中に穿入可能な長尺板状の穿入体１５ａ及び穿入体１５ａの下部に設けられ、圃場土Ｗを刳り貫いて持ち上げる刳貫口部１５ｂをもつ捕捉部１５ｃにより形成され、この場合、刳貫口部１５ｂの内径は約３０ｍｍ〜４０ｍｍ程度であり、また、上記穿孔機構１６は上記穿孔体１５を上下動作させる上下動機構１７及び穿孔体１５を進行方向前方位置から後方位置への後方移動を許容すると共に穿孔体１５を進行方向後方位置から前方位置に前方移動させる復帰移動機構１８により構成されている。
【００１４】
この場合、上記上下動機構１７は、図２乃至図４の如く、上記機枠３に穿孔機枠３ｂを進行方向後方に向けて突設し、穿孔機枠３ｂに昇降体１９を上下一対計４個のガイドロール２０により回り止め状態で上下昇降自在に縦設し、穿孔機枠３ａに中間軸２１及び駆動軸２２を横架し、中間軸２１と上記主軸８との間に歯車機構２３を介装すると共に中間軸２１と駆動軸２２との間にチェーン機構２４を介装し、駆動軸２２にクランク２５の基部を固定し、クランク２５の先端部と上記昇降体１９の下部との間に枢軸２５ａ・１９ａによりクランクロッド２５ｂを枢着架設して構成している。
【００１５】
また、上記復帰移動機構１８は、この場合、図１１、図１２の如く、上記昇降体１９の下部にガイド体２６を取り付け、ガイド体２６に左右一対計４個のガイドロール２７を取付け、ガイドロール２７により移動体２８を進行方向の前後方向に移動自在に設け、移動体２８の進行方向前部にバネ掛けピン２９を取付け、バネ掛けピン２９と移動体２８との間に戻動用バネ３０を掛架し、移動体２８にガイド体２６の進行方向後部に当接可能なストッパー２８ａを取付け、移動体２８に上記穿孔体１５の上部を固定して構成している。
【００１６】
しかして、主軸８の回転により上下動機構１７の昇降体１９はクランク２５及びクランクロッド２５ｂの作用により上下昇降動作し、昇降体１９の下降動作により穿孔体１５は圃場土中Ｗに穿入し、このとき、上記復帰移動機構１８の移動体２８は移動体２８とガイドロール２７とにより進行方向前方位置から後方位置への後方移動が許容されているので、走行機体１が前進走行しても、穿孔体１５は圃場土中Ｗに穿入して静止状態に保持され、そして、昇降体１９の上昇動作により穿孔体１５が圃場土中Ｗから抜け出ると、戻動用バネ３０により移動体２８を介して穿孔体１５は後方位置から前方位置に前方移動して元の前方位置に復帰することになる。
【００１７】
そして、図１４の如く、この昇降体１５の上下昇降により穿孔体１５は圃場土中Ｗに対して穿入抜脱を繰返し、穿孔体５の穿入下降時において、圃場土Ｗは捕捉部１５ｃの刳貫口部１５ｂにより刳り貫かれ、抜脱上昇時において、刳り貫かれた円柱状の刳り貫き土Ｆは捕捉部１５ｃの刳貫口部１５ｂ内の土が底板作用をなして持ち上げられ、刳り貫き土Ｆは圃場面Ｍに排出され、これにより圃場土中Ｗに縦孔Ｇが形成され、図中左方向への走行機体１の前進により縦孔Ｇが複数個間隔をおいて形成されることになる。
【００１８】
３１は溝切円盤であって、上記穿入ビーム４の基部に取付片３１ａを垂設し、取付片３１ａに溝切円盤３１を回転自在に取り付け、穿入ビーム４の進行方向前方位置に揺振動作しつつ穿入条溝Ｄを形成するように構成している。
【００１９】
３２は転輪であって、上記機枠３の左右両側位置に取付アーム３２ａ・３２ａを高さ調節機構３２ｂにより高さ調節自在に配置し、田面等の圃場面Ｍに転輪３２を接地させ、機枠３の安定走行及び暗渠Ｈの表面からの形成高さの設定を図るように構成している。
【００２０】
この実施の第一形態例は上記構成であるから、図１４の如く、図中左方向への走行機体１の前進進行に伴い穿入ビーム４は進行方向に揺振動作しつつ土中Ｗに穿入して穿入跡溝Ｓを形成すると共に弾丸体１４により暗渠Ｈを連続して形成し、かつ、穿孔体１５は穿孔機構１６により穿入ビーム４の進行方向後方位置に縦孔Ｇを間隔を置いて穿孔することになり、しかして、穿入ビーム４により形成される穿入跡溝Ｓ及び縦孔Ｇの存在により圃場の通水性、排水性及び通気性を良好に保持することができ、空気、水、養分の吸収を良化することができ、稲等の作物を生育を良化することができる。
【００２１】
又、この場合、上記穿孔機構１６は上記穿孔体１５を上下動作させる上下動機構１７及び穿孔体１５を進行方向前方位置から後方位置への後方移動を許容すると共に穿孔体１５を進行方向後方位置から前方位置に前方移動させる復帰移動機構１８からなるので、走行機体１を走行した状態で縦孔Ｇを穿孔することができ、作業性を高めることができ、又、この場合、上記穿孔体１５は上記圃場土中Ｗに穿入可能な穿入体１５ａ及び穿入体１５ａの下部に設けられ、圃場土Ｗを刳り貫いて持ち上げる刳貫口部１５ｂをもつ捕捉部１５ｃからなるので、縦孔Ｇを良好に形成することができる。
【００２２】
図１５、図１６は第二形態例は別例構造を示し、この場合、上記第一形態例の弾丸体１４は砲弾状に形成され、穿入ビーム４の下端部にフック状の連結材１３を介して連結されているが、この第二形態例にあっては、弾丸体３３はほぼ砲弾の上半分の形状に形成され、穿入ビーム４の下端部に直接取付けられている。
【００２３】
この実施の第二形態例にあっても、上記第一形態例と同様な作用効果を奏することができる。
【００２４】
尚、本発明は上記実施の形態例に限られるものではなく、穿入ビーム４、揺振機構５、穿孔体１４、穿孔機構１６、上下動機構１７、復帰移動機構１８、昇降体１９の構造等は適宜変更して設計されるものである。また、上記実施の形態例においては、穿入ビーム４は揺振機構５により進行方向に揺振動作すると共に穿入ビーム４の下部に土中に暗渠を形成可能な弾丸体１４・３３を配設して構成しているが、これら穿入ビーム４を揺振動作しない固定状態に配置すると共に弾丸体１４・３３を無くして構成することも勿論可能である。
【００２５】
以上、所期の目的を充分達成することができる。
【図面の簡単な説明】
【００２６】
【図１】本発明の実施の第一形態例の全体側面図である。
【図２】本発明の実施の第一形態例の拡大側面図である。
【図３】本発明の実施の第一形態例の拡大平面図である。
【図４】本発明の実施の第一形態例の拡大側断面図である。
【図５】本発明の実施の第一形態例の平断面図である。
【図６】本発明の実施の第一形態例の部分側面図である。
【図７】本発明の実施の第一形態例の部分側断面図である。
【図８】本発明の実施の第一形態例の部分拡大平断面図である。
【図９】本発明の実施の第一形態例の部分拡大側面図である。
【図１０】本発明の実施の第一形態例の部分拡大平断面図である。
【図１１】本発明の実施の第一形態例の部分側断面図である。
【図１２】本発明の実施の第一形態例の部分横断面図である。
【図１３】本発明の実施の第一形態例の部分拡大斜視図である。
【図１４】本発明の実施の第一形態例の部分拡大側断面図である。
【図１５】本発明の実施の第二形態例の部分側面図である。
【図１６】本発明の実施の第二形態例の部分横面図である。
【符号の説明】
【００２７】
Ｗ    圃場土中
Ｓ    穿入跡溝
１    走行機体
２    連結機構
３    機枠
４    穿入ビーム
１５    穿孔体
１５ａ    穿入体
１５ｂ    刳貫口部
１５ｃ    捕捉部
１６    穿孔機構
１７    上下動機構
１８    復帰移動機構
１９    昇降体
【図１】
2008148579.tif 000003
【図２】
2008148579.tif 000004
【図３】
2008148579.tif 000005
【図４】
2008148579.tif 000006
【図５】
2008148579.tif 000007
【図６】
2008148579.tif 000008
【図７】
2008148579.tif 000009
【図８】
2008148579.tif 000010
【図９】
2008148579.tif 000011
【図１０】
2008148579.tif 000012
【図１１】
2008148579.tif 000013
【図１２】
2008148579.tif 000014
【図１３】
2008148579.tif 000015
【図１４】
2008148579.tif 000016
【図１５】
2008148579.tif 000017
【図１６】
2008148579.tif 000018